(57)【特許請求の範囲】
【請求項１】
複数の貯留パイプ（５，６、７，８）と、形状保持具（１０〜１３）と、透水又は不透水性シート（２１）とを具備して構成される地中に埋設されて液体を貯留する地下貯水構造物であって、
複数の貯留パイプ（５，６，７，８）は、各パイプが所定の長さを有し、外壁を互いに接して任意の断面形状を有する如く積層集束され、
形状保持具（１０〜１３）は、この積層集束された貯留パイプ（５，６，７，８）の両端面に取着され、全体の外形形状を保持して貯水ユニット（２，３）を構成し、
透水又は不透水性シート（２１）は、その両者又は一方により、この貯水ユニット（２，３）の外周を被覆して、地下貯水構造物（１）を構成し、一の地下貯水構造物（１）又は複数の地下貯水構造物（１）を連結可能にして地中に埋設可能とし、
地下貯水構造物貯水（１）自体又は地下貯水構造物貯水（１）間の連結は、解体再解体、組立再組立、構成再構成を自在に可能とすることを特徴とする
地下貯水構造物。
【請求項２】
形状保持具（１０〜１１）は、板状であり、板面に複数個の突起（１０ｂ，１１ｂ）が植設されて、各突起が積層集束された貯留パイプ（５，６，７，８）の端面開口（５ｂ，６ｂ）内に嵌挿される如くその端面に取着されることを特徴とする
請求項１記載の地下貯水構造物。
【請求項３】
形状保持具（１２〜１３）は、環状に形成され、断面略Ｌ字状の突出部を具備し、積層集束された貯留パイプ（５，６，７，８）の両端面に取着されることを特徴とする
請求項１記載の地下貯水構造物。
【請求項４】
貯留パイプ（５，６，７，８）は、パイプ壁が軸方向に対して断面波形に形成されたことを特徴とする
請求項１，２又は３項記載の地下貯水構造物。
【請求項５】
貯留パイプ（５，６，７，８）は、パイプ壁が内外に貫通する流通孔（５ａ，６ａ，７ａ，８ａ）を有することを特徴とする
請求項１，２，３又は４項に記載の地下貯水構造物。
【発明の詳細な説明】
【０００１】
【発明の属する技術分野】
本発明は、雨水や地下水を貯留し有効利用するための地下貯水構造物に関する。
【０００２】
【従来の技術】
地下貯水構造物により人工地中空間を形成する技術として、本出願人は、特願平９−２１８１９４号（特開平１１−４３９７１号公報）にて提案した。
これは、地面に凹所を形成して、凹所内に貯留パイプを層状もしくは柱状に積層すると共に、貯留パイプの上部に人工の表面層を形成して貯留パイプを地中に埋設し、前記地中空間を形成するようにしたものである。
尚、凹所に板体を配設すると共に、板体の周囲には不透水性シートを配置することにより、貯留パイプを積層可能な形状で、地中へ貯水の浸透を防止した凹所を確保している。
この人工地中空間の形成方法では、貯留パイプを積層することにより、地中空間を効率的に使用し、所定の貯水量を確保しつつ、人工地中空間の上面からの荷重や凹所の側方からの圧力に耐え得ている。
【０００３】
【発明が解決しようとする課題】
しかしながら、前記の人工地中空間を形成する場合、貯留パイプである円形パイプを１本１本バラバラに、凹所内に積層する。
このため、積層途中で円形パイプが滑り（崩れ）を防止するために、円形パイプの間に滑り止め材を配置しながら作業を行う必要があり、積層作業は繁雑で労力を要する。
また、輸送にあたっても、円形パイプの荷崩れに考慮する必要がある。
【０００４】
また、板材及び不透水性シートの配設及び貯留パイプの積層は、すべて施工現場にて行う必要がある。
このため、未使用の土地に、洪水調節のための雨水調整槽などの大規模な地下貯水構造物を形成するには適しているが、施工期間を短縮することが難しく、既に使用している駐車場などの地中に人工地中空間を形成する場合や、隣接する家屋の増改築等により施工後に貯水容量の増減を必要とする場合には適さない。
【０００５】
本願発明はこのような事情に鑑みてなされたもので、地中空間を効率的に使用しつつ、埋設作業が容易で施工期間を短く抑え、地下貯水構造物の上面からの荷重や凹所の側方からの圧力に耐え得る能力に優れ、貯水容量の増減が容易に可能な地下貯水構造物を提供することにある。
【０００６】
【課題を解決するための手段】
本願の目的を達成し、課題を解決するための手段である第１の発明は、
複数の貯留パイプ５，６、７，８と、形状保持具１０，１１，１２，１３と、透水又は不透水性シート２１とを具備して構成される地中に埋設されて液体を貯留する地下貯水構造物であって、
複数の貯留パイプ５，６，７，８は、各パイプが所定の長さを有し、外壁を互いに接して任意の断面形状を有する如く積層集束され、
形状保持具１０〜１３は、この積層集束された貯留パイプ５，６，７，８の両端面に取着され、全体の外形形状を保持して貯水ユニット２，３を構成し、
透水又は不透水性シート２１は、その両者又は一方により、この貯水ユニット２，３の外周を被覆して、地下貯水構造物１を構成し、一の地下貯水構造物１又は複数の地下貯水構造物１を連結可能にして地中に埋設可能とし、
地下貯水構造物自体１又は地下貯水構造物貯水１間の連結は、解体再解体、組立再組立、構成再構成を自在に可能とすることを特徴とする地下貯水構造物である。
【０００７】
本願の目的を達成し、課題を解決するための手段である第２の発明は、
形状保持具（１０〜１１）は、板状であり、板面に複数個の突起（１０ｂ，１１ｂ）が植設されて、各突起が積層集束された貯留パイプ（５，６，７，８）の端面開口（５ｂ，６ｂ）内に嵌挿される如くその端面に取着されることを特徴とする発明１記載の地下貯水構造物である。
【０００８】
本願の目的を達成し、課題を解決するための手段である第３の発明は、
形状保持具（１２〜１３）は、環状に形成され、断面略Ｌ字状の突出部を具備し、積層集束された貯留パイプ（５，６，７，８）の両端面に取着されることを特徴とする発明１記載の地下貯水構造物である。
【０００９】
本願の目的を達成し、課題を解決するための手段である第４の発明は、
貯留パイプ（５，６，７，８）は、パイプ壁が軸方向に対して断面波形に形成されたことを特徴とする発明１，２又は３項記載の地下貯水構造物である。
【００１０】
本願の目的を達成し、課題を解決するための手段である第５の発明は、
貯留パイプ（５，６，７，８）は、パイプ壁が内外に貫通する流通孔（５ａ，６ａ，７ａ，８ａ）を有することを特徴とする発明１，２，３又は４項に記載の地下貯水構造物である。
【００１１】
【発明の実施の形態】
以下、本発明の形態について図面を参照しながら具体的に説明する。図１〜図１８は、第１の実施例を示す図面であり、図１９〜図２２は第２の実施例を示す図面である。
【００１２】
図１は本発明の貯水ユニット２の第１の実施例を示す正面斜視図、図２は図１における背面斜視図である。ここで、２は貯水ユニット、５は貯留パイプ、５ａは流通孔、６は貯留パイプ、６ａは流通孔、６ｃは凹部、１０は形状保持具，１０ａは貫通孔、１１は形状保持具、１１ａは貫通孔、１５は取水パイプ、２０は結束バンドである。
図３は図１における正面図、図４は図１における背面図、図５は図１における右側面図、図６は図５におけるＡ−Ａ線矢視断面図である。ここで、５ｂは端面開口、６ｂは端面開口、１０ｂは突起、１０ｃは筒状突起、１０ｄは半円突起、１１ｂは突起、１１ｃは筒状突起である。
図７は図１の貯水ユニットの正面に位置する形状保持具１０の背面図、図８は図１の貯水ユニットの背面に位置する形状保持具１１の背面図である。
【００１３】
図９は本発明の第１の実施例における貯留パイプ５，６を積層する様子を示す正面図で、２５は整列枠である。
図１０は図９における貯留パイプ５，６を積層した状態を示す斜視図、図１１は図１０における貯留パイプ５，６に形状保持具１０，１１を装着する様子を示す右側面図である。
図１２は図１０における貯留パイプ５，６に形状保持具１０，１１を装着する様子を示す斜視図である。
【００１４】
図１３は本発明の地下貯水構造物１の第１の実施例を示す斜視図で、１６は給水又は排水パイプである。図１４は図１３におけるＢ−Ｂ線矢視断面図、図１５は図１３におけるＣ−Ｃ線矢視断面図、図１６は図１３におけるＤ−Ｄ線矢視断面図、図１７は図１５におけるＥ−Ｅ線矢視断面図、図１８は本発明の地下貯水構造物１の埋設の一実施例を示す概略的な断面図である。
【００１５】
図１〜図１９において、地下貯水構造物１は、図１３に示すように、後述する貯水ユニット２を透水又は不透水性シート２１で被包したものであり、図１８に示すように、地面３０に形成された凹所３１内に埋設する。
透水性シート２１は、貯水ユニット２に蓄えられた雨水Ｗを緩やかに地面３０に浸透させたり、地下水を貯水ユニット１に浸透させるためのシートで、例えばフェルト製で厚み約１０ｍｍである。尚、透水性シート２１は、小石やゴミなどのを貯水ユニット２への侵入を防止している。
【００１６】
貯水ユニット２は、図１に示すように、貯留パイプ５，６を積層し、形状保持具１０，１１により、積層された複数本の貯留パイプ５，６を、所定形状（図では端面視六角形）に一体に保持している。
貯留パイプ５，６としては、例えば外径が３００ｍｍ、肉厚２０ｍｍで長さが約１．５ｍの塩化ビニルパイプが使用され、その外周には貯留された雨水Ｗが互いに流通し得る多数の流通孔５ａ，６ａが形成されている。
【００１７】
図９に示すように、長さが貯留パイプ５，６とほぼ等しく、内面が六角形に形成された筒体を、軸方向に半分に切断した整列枠２５に、貯留パイプ５，６を積層し、図１０に示すようにビニル製の結束バンド２０により、貯留パイプ５，６を束ねている、即ち積層集束されている。
形状保持具１０，１１は、合成樹脂製の六角形の板材であり、図７及び図８に示すように、円柱状の突起１０ｂ，１１ｂと、中心に形状保持具１０，１１を貫通する貫通孔１０ａ，１１ａを有する筒状突起１０ｃ，１１ｃとを、形状保持具１０，１１の一方の面に、この面を埋め尽くすように備えている。
【００１８】
結束バンド２０であらかじめ六角形に束ねられた複数本の貯留パイプ５，６の端面開口５ｂ，６ｂに突起１０ｂ，１１ｂ及び筒状突起１０ｃ，１１ｃを挿嵌することにより、形状保持具１０，１１は、貯留パイプ５，６を一体に保持している。ここで突起１０ｂ，１１ｂは、円柱状である。
取水パイプ１５としては、例えば円形の塩化ビニルパイプが使用され、図９に示すように、その外周面に貯留パイプ５，６に貯留した雨水Ｗを取水可能に形成された流通孔１５ａが形成されている。
【００１９】
そして、貯留パイプ６の一方の端部を半円状に欠切した凹部６ｃにより形成された溝に、貯留パイプ６に直交して配する。尚、図７に示すように、凹部６ｃを有する貯留パイプ６は、円柱を半分にした半円突起１０ｄにより保持している。
給水又は排水パイプ１６は、円形パイプであり、貯留パイプ５，６と略同形で、形状保持具１０，１１の貫通孔１０ａ，１１ａに挿嵌可能な径を有する。  尚、図１３に示す給水又は排水パイプ１６は、地上より雨水Ｗを取り入れるために９０°上向きに形成されている。
【００２０】
また図１８に示すように、他の地下貯水構造物１と連結して、雨水Ｗを流通させるために直管状の連結パイプ１７もある。
次に、地中貯水構造物１の具体的な組立方法について説明する。まず、図９に示すように、整列枠２５に貯留パイプ５，６を積層する。取水パイプ１５は、最下段の貯留パイプ６が積層により整列枠２５に固定されたところで、貯留パイプ６の凹部６ｃに挿入する。
【００２１】
図１０に示すように、積層した貯留パイプ５，６を結束バンド２０により束ねる。そして、図１１及び図１２に示すように、形状保持具１０，１１を、矢印ハ及び矢印ニの方向に、束ねた貯留パイプ５，６の端面に被着する。
この時、図６に示すように、貯留パイプ５の端面開口５ｂに、形状保持具１０の突起１０ｂ若しくは筒状突起１０ｃを挿嵌し、また、凹部６ｃを有する貯留パイプ６の端面開口６ｂに、形状保持具１０の半円突起１０ｄを挿嵌する。
【００２２】
同様に、貯留パイプ５，６の反対面の端面開口５ｂ，６ｂに、形状保持具１１の突起１１ｂ若しくは筒状突起１１ｃを挿嵌する。積層され束ねられた貯留パイプ５，６の端面に形状保持具１０，１１を被着することにより、雨水Ｗを貯留可能な空間を確保する貯水ユニット２は完成する。
次に、図１３〜図１７に示すように、完成した貯水ユニット２を、取水パイプ１５及び給又は排水パイプ１６が外部に突出するように、透水性シート２１で被包することにより、地下貯水構造物１を形成する。
【００２３】
以上のような一連の地下貯水構造物１組立工程は、埋設する施工現場ではなく、工場においてあらかじめ行い、完成された状態で地下貯水構造物１を施工現場に運送するようにする。
【００２４】
次に、地下貯水構造物１を埋設する手順を説明する。
まず、図１８に示すように、地面３０に凹所３１を掘削する。凹所３１は、地下貯水構造物１を埋没可能な大きさ及び深さとする。そして、あらかじめ工場で完成した地下貯水構造物１を、凹所３１に設置する。
次に、図１８に示すように、２個の地下貯水構造物１を埋設する場合には、連結パイプ１７で、地下貯水構造物１同士を連結する。
【００２５】
また、地下貯水構造物１に雨水Ｗを引き込むために、家屋３５に設けられたとい３６を給又は排水パイプ１６に連結する。ここで給水のためにとい３６に接続したが、集中豪雨等の場合で、溢れるおそれがある場合には、１６は排水パイプとして排水溝に接続しても良い。
【００２６】
そして、取水手段として、取水パイプ１５の蓋となっているポンプ設置板１５ａに、手押ポンプ１８や電動ポンプを設置する。
最後に、地下貯水構造物１の上面に、土を埋め戻し、表面層を形成することにより、地下貯水構造物１の埋設作業は終了する。
【００２７】
雨水Ｗは、図１８に示すように、とい３６を矢印チの方向に流れ、給水又は排水パイプ１６から、地下貯水構造物１に入る。
そして図１５に示すように、給水又は排水パイプ１６を矢印への方向に流れた雨水Ｗは、流通孔５ａ，６ａを通って、矢印トの方向に落下し、地下貯水構造物１内に貯留する。
【００２８】
尚、１つの地下貯水構造物１が満タンになると、溢れた雨水Ｗは、連結パイプ１７を通って、矢印リの方向に流れ、隣接の別の地下貯水構造物１内に流入する。
また、貯留した雨水Ｗを中水として利用する場合には、図１８に示すような手押ポンプ１８や電動ポンプを用い、貯留した雨水Ｗを、図１８の矢印ヌ及び矢印ルの方向（図１４の矢印ホ）の方向に吸い上げる。尚、本実施例の地下貯水構造物１は、貯水ユニット２が透水性シート２１で包まれているのみなので、貯留している雨水Ｗは、徐々にではあるが、地中にも漏れだしている。
【００２９】
本実施例によれば、貯水容量を増加させたい場合は、地下貯水構造物１を新たに埋設し、貯水ユニット２同士を、連結パイプ１７により連結すればよい。
また貯水容量を減らしたい場合は、既に埋設されている地下貯水構造物１を掘り出し、連結する貯水ユニット２の数を減らせばよい。
すなわち、地下貯水構造物１自体を改造するのではなく、連結する貯水ユニット２即ち地下貯水構造物１の数を増減させることで、容易に貯水容量の増減が可能となるわけである。
【００３０】
尚、本実施例においては、形状保持具１０，１１に、すべての貯留パイプ５，６を保持すべく突起を設けたが、必ずしもすべての貯留パイプ５，６に対して設ける必要なない。即ち、輸送及び埋設作業に際して、積層した貯留パイプ５，６が分解しない程度に、保持可能な突起の数であればよい。
【００３１】
また、形状保持具１０，１１の突起の形状は、円柱状としたが、貯留パイプ５，６を保持可能な形状、例えば五角形や六角形などの形状でもよいし、突起ではなく、貯留パイプ５，６を挿嵌する溝を設けることにより、貯留パイプ５，６を保持してもよい。
【００３２】
図１９は本発明の貯水ユニットの第２の実施例を示す正面図、図２０は図１９における貯水ユニットの背面図、図２１は図１９における貯水ユニットの右側面図、図２２図１９におけるＦ−Ｆ線矢視断面図である。
【００３３】
図１９〜図２２において、形状保持具１２，１３は、合成樹脂製の六角形の環状をしており、図１１に示すように、断面視略Ｌ字状である。
【００３４】
貯水ユニット３を組み立てる場合は、第１の実施例の図９に示すのと同様に、整列枠２５に貯留パイプ５，６を積層する。取水パイプ１５は、再下段の貯留パイプ６が積層により整列枠２５に固定されてところで、貯留パイプ６の凹部６ｃに挿入する。
【００３５】
そして、積層した貯留パイプ５，６を結束バンド２０により束ね形状保持具１２，１３を、束ねた貯留パイプ５，６の端部に、形状保持具１２，１３の内面が当接するように装着する。
積層され束ねられた、即ち積層集束された貯留パイプ５，６の端面に形状保持具１２，１３を被着することにより、雨水Ｗを貯留可能な空間を確保する貯水ユニット３は完成する。
そして、第１の実施例と同様に、完成した貯水ユニット３を透水性シート２１で被包することにより、地下貯水構造物１は完成する。
【００３６】
第１及び第２の実施例によれば、あらかじめ形状保持具１２，１３で、複数の貯留パイプ５，６を所定形状に一体に保持していることから、滑り（崩れ）による輸送時の荷崩れに考慮する必要が無い。
また、貯留パイプ５，６の積層は工場などの施工現場とは別の場所であらかじめ行うことが可能であり、施工現場において積層する必要はない。
【００３７】
また、施工現場における作業は、地面３０に凹所３１を掘削し、その凹所３１に既に組み立てられている地下貯水構造物１を埋設するのみでよく、施工期間を短く抑えることが可能である。
【００３８】
また、貯留パイプ５，６には、軸方向の断面が波形に形成された波形パイプを用いることも可能である。剛性に優れた波形パイプを用いることで、地下貯水構造物１の上面からの荷重や凹所３１の側方からの圧力に耐え得る能力により優れることとなる。
【００３９】
また、貯留パイプ５，６は、断面円形のパイプに限定されるものではなく、例えば、図２３（ａ）に示すように、外周面に流通孔７ａを有する断面方形状の角パイプ７を使用しても良いし、あるいは図２３（ｂ）に示すように、外周面に流通孔８ａを有する断面六角形状等の多角形パイプ８を使用することができる。
貯留パイプの材料に関しても、塩化ビニルのほかに、例えば廃プラスチックのようなリサイクル材料などでも、剛性に劣るものの、貯留パイプの形状を、本発明に示すように波形パイプとして用いることにより、地下貯水構造物１として十分機能し得ることになる。
【００４０】
また、貯水ユニット２は、貯留した雨水Ｗを地面に完全に還元可能な構造として、透水性シート２１のみで被包したが、これに限られるものではない。
すなわち、例えば、貯水ユニット２を、ゴムシートやビニルシートなどの不透水性シートで被包することにより、貯留した雨水Ｗを地面に逃がすことなく、完全に中水として利用することが可能となる。
また、貯水ユニット２の下方の所定領域を、袋状に不透水性シート２１で被包し、これらの全体を透水性シート２１で被包することも可能である。
貯水ユニット２の不透水性シート２１で覆われた部分は、雨水Ｗを地面に逃がすことなく貯留可能であり、それ以上に貯まった雨水Ｗは、地面に還元することが可能となる。
【００４１】
【発明の効果】
第１の発明によれば、あらかじめ形状保持具１０，１１で、複数の貯留パイプ５，６を所定形状に一体に保持していることから、滑り（崩れ）による輸送時の荷崩れに考慮する必要がない。また、貯留パイプ５，６を施工現場において積層集束する必要はなく埋設が容易である。
貯水量に合わせて地下貯水構造物１を増設又は縮設できるので、貯水量の変更に柔軟に対応でき、不要となっても設備を廃棄する必要がない。また地下貯水構造物１の容量をサイズ的にユニット化しておけば、需要に応じて納期的にも早くより柔軟に対応できる。
更に地下貯水構造物１自体も、解体すれば、ほとんど同じ部材、部品に還元できるので、再組立時にも、それらを適宜組みあわせて再利用でき、ほとんど廃材が出ないばかりか、別のサイズのものに再構成しても何ら差し支えないので、廃棄物の少ない、環境的に易しい構造物が実現できることとなる。
第２の発明は形状保持具１０，１１に改良を加えたもので、より強固に貯水ユニット２を構成できる。第３の発明は別のタイプの改良を加えた形状保持具１２，１３ であり、同様に強固に貯水ユニット３を構成できるものである。
透水又は不透水性シート２１の使用については、ゴミや砂利等の侵入を阻止するだけではなく、貯水ユニット２、３からの水分を地面中にどの程度逃がすかどうかを制御するものである。
オール透水シート２１であれば水分を最も良く逃がすものであり、オール不透水性シート２１であれば逃がさない。両者を適宜使用し、例えば不透水性シート２１を底面から所定の高さまで使えば、少なくともそこまでは水を貯留できることとなる。
【００４２】
第４の発明によれば、貯留パイプ５，６として剛性に優れた波形パイプを用いていることから、地下貯水構造物１の上面からの荷重や凹所３１の側方からの圧力に耐え得る能力により優れている。
【００４３】
第５の発明によれば、貯留パイプ５，６の管壁を貫通する流通孔５ａ，６ａを設けることにより、雨水Ｗを貯留パイプ５，６間で速やかに流通することにより、すべての貯留パイプ５，６に雨水Ｗを貯留することができ、地中空間の効率的使用が可能である。
【００４４】
以上本願各発明によれば、あらかじめ地下貯水構造物１として完成させることが可能である。このため、施工現場での作業は、地下貯水構造物１の埋設のみでよく、施工期間を短く抑えることが可能である。
【００４５】
又貯水容量を増加させたい場合は、地下貯水構造物１を新たに埋設し、貯水ユニット２同士を、連結パイプ１７により連結すればよい。また、貯水容量を減らしたい場合は、連結する貯水ユニット２の数を減らせばよい。すなわち、連結する貯水ユニットの数を増減させることで、容易に貯水容量の増減が可能となる。
以上地下貯水構造物１自体又は地下貯水構造物１間の連結結合については、解体再解体、組立再組立、構成再構成が自在に可能なので、貯水量に応じた設備を自由に準備できる。
【図面の簡単な説明】
【図１】本発明の貯水ユニットの第１の実施例を示す正面斜視図である。
【図２】図１における背面斜視図である。
【図３】図１における正面図である。
【図４】図１における背面図である。
【図５】図１における右側面図である。
【図６】図５におけるＡ−Ａ線矢視断面図である。
【図７】図１における貯水ユニットの正面に位置する形状保持具の背面図である。
【図８】図１における貯水ユニットの背面に位置する形状保持具の背面図である。
【図９】本発明の第１の実施例における貯留パイプを積層する様子を示す正面図である。
【図１０】図９における貯留パイプを積層した状態を示す斜視図である。
【図１１】図１０における貯留パイプに形状保持具を装着する様子を示す右側面図である。
【図１２】図１０における貯留パイプに形状保持具を装着する様子を示す斜視図である。
【図１３】本発明の地下貯水構造物の第１の実施例を示す斜視図である。
【図１４】図１３におけるＢ−Ｂ線矢視断面図である。
【図１５】図１３におけるＣ−Ｃ線矢視断面図である。
【図１６】図１３におけるＤ−Ｄ線矢視断面図である。
【図１７】図１５におけるＥ−Ｅ線矢視断面図である。
【図１８】本発明の地下貯水構造の埋設の一実施例を示す概略的な断面図である。
【図１９】本発明の貯水ユニットの第２の実施例を示す正面図である。
【図２０】図１９における貯水ユニットの背面図である。
【図２１】図１９における貯水ユニットの右側面図である。
【図２２】図１９におけるＦ−Ｆ線矢視断面図である。
【図２３】本発明の貯留パイプの他の実施例を示す断面図である。
【符号の説明】
１・・・・・・・・・・・地下貯水構造物
２，３・・・・・・・・・貯水ユニット
５，６，７，８・・・・・貯留パイプ
５ａ，６ａ，７ａ，８ａ・流通孔
５ｂ，６ｂ・・・・・・・端面開口
６ｃ・・・・・・・・・・凹部
１０，１１，１２，１３・形状保持具
１０ａ，１１ａ・・・・・貫通孔
１０ｂ，１１ｂ・・・・・突起
１０ｃ，１１ｃ・・・・・筒状突起
１０ｄ・・・・・・・・・半円突起
１５・・・・・・・・・・取水パイプ
１５ａ・・・・・・・・・ポンプ設置板
１６・・・・・・・・・・給水又は排水パイプ
１７・・・・・・・・・・連結パイプ
１８・・・・・・・・・・手押しポンプ
２０・・・・・・・・・・結束バンド
２１・・・・・・・・・・透水又は不透水性シート
２５・・・・・・・・・・整列枠
３０・・・・・・・・・・地面
３１・・・・・・・・・・凹所
３２・・・・・・・・・・表面層
３５・・・・・・・・・・家屋
３６・・・・・・・・・・とい
Ｗ・・・・・・・・・・・雨水
【図１】
0003656183.tif 000002
【図２】
0003656183.tif 000003
【図３】
0003656183.tif 000004
【図４】
0003656183.tif 000005
【図５】
0003656183.tif 000006
【図６】
0003656183.tif 000007
【図７】
0003656183.tif 000008
【図８】
0003656183.tif 000009
【図９】
0003656183.tif 000010
【図１０】
0003656183.tif 000011
【図１１】
0003656183.tif 000012
【図１２】
0003656183.tif 000013
【図１３】
0003656183.tif 000014
【図１４】
0003656183.tif 000015
【図１５】
0003656183.tif 000016
【図１６】
0003656183.tif 000017
【図１７】
0003656183.tif 000018
【図１８】
0003656183.tif 000019
【図１９】
0003656183.tif 000020
【図２０】
0003656183.tif 000021
【図２１】
0003656183.tif 000022
【図２２】
0003656183.tif 000023
【図２３】
0003656183.tif 000024